(57)【要約】【課題】折り畳み型携帯機器の限られた空間において、ストラップホルダをコンパクトで強固に固定し、かつ組み立てや分解がし易く製造、修理コストがかからないストラップ取り付け部の構造を実現する。【解決手段】折り畳み型携帯機器におけるストラップ取り付け部の構造であって、ストラップホルダ４が筐体１のヒンジ円筒部側面の凹部１１に収納され、Ｌ字形状のピン５が、筐体１に設けた開口部１２、及びストラップホルダ４に貫通するピン孔４２に挿通されて、筐体１に設けた受け溝１３で受け止められる。筐体１に締結されるカバー３によりピン５の両端を押さえて、ストラップホルダ４が固定される。【選択図】図２
2008193583.tif 000002
【特許請求の範囲】
【請求項１】
折り畳み型携帯機器におけるストラップ取り付け部の構造であって、ストラップホルダが筐体のヒンジ円筒部側面の凹部に収納され、Ｌ字形状のピンが、前記筐体に設けた開口部、及び前記ストラップホルダを貫通するピン孔に挿通され、前記筐体に設けた受け溝で受け止められており、前記筐体に締結されるカバーにより前記ピンの両端を押さえて、前記ストラップホルダを固定したことを特徴とする折り畳み型携帯機器におけるストラップ取り付け部の構造。
【請求項２】
請求項１に記載の折り畳み型携帯機器におけるストラップ取り付け部の構造において、前記ピンは、平板状の筐体の面に対して傾斜して挿通され、その先端が前記カバーに設けたリブにより押さえられ、その後端が前記開口部に連接した横溝に嵌合され、前記カバーにより押さえられていることを特徴とする折り畳み型携帯機器におけるストラップ取り付け部の構造。
【請求項３】
請求項１に記載の折り畳み型携帯機器におけるストラップ取り付け部の構造を組み立てる方法であって、ストラップホルダを筐体のヒンジ円筒部側面の凹部に収納する工程、Ｌ字形状のピンを前記筐体に設けた開口部、及び前記ストラップホルダを貫通するピン孔に挿通し、前記筐体に設けた受け溝で受け止める工程、前記ピンの後端を回転し前記開口部に収納する工程、更に前記筐体にカバーを締結する工程を有することを特徴とする折り畳み型携帯機器におけるストラップ取り付け部の構造の組み立て方法。
【請求項４】
折り畳み型携帯機器におけるストラップ取り付け部の構造であって、ストラップホルダが筐体のヒンジ円筒部側面の凹部に収納され、Ｌ字形状のピンが、前記筐体に設けた開口部、前記ストラップホルダを貫通するピン孔、及び前記筐体に設けた貫通孔に挿通されており、前記筐体に締結されるカバーにより前記ピンの両端を押さえて、前記ストラップホルダを固定したことを特徴とする折り畳み型携帯機器におけるストラップ取り付け部の構造。
【請求項５】
請求項４に記載の折り畳み型携帯機器におけるストラップ取り付け部の構造において、前記ピンは、平板状の筐体の面に対して平行に挿通され、その先端が前記カバーにより押さえられ、その後端が前記開口部に連接した横溝に嵌合され、前記カバーに設けたリブにより押さえられていることを特徴とする折り畳み型携帯機器におけるストラップ取り付け部の構造。
【請求項６】
請求項４に記載の折り畳み型携帯機器におけるストラップ取り付け部の構造を組み立てる方法であって、ストラップホルダを筐体のヒンジ円筒部側面の凹部に収納する工程、Ｌ字形状のピンを前記筐体に設けた開口部、前記ストラップホルダを貫通するピン孔、及び前記筐体に設けた貫通孔に挿通する工程、前記ピンの後端を回転し前記開口部に収納する工程、更に前記筐体にカバーを締結する工程を有することを特徴とする折り畳み型携帯機器におけるストラップ取り付け部の構造の組み立て方法。
【請求項７】
請求項１又は４に記載の折り畳み型携帯機器におけるストラップ取り付け部の構造において、ストラップ取り付け部をフック取り付け部としたことを特徴とする折り畳み型携帯機器におけるフック取り付け部の構造。
【請求項８】
請求項１、２、４又は５に記載の折り畳み型携帯機器におけるストラップ取り付け部の構造を有する端末機器。
【発明の詳細な説明】
【技術分野】
【０００１】
本発明は、ストラップ取り付け部の構造、特に、折り畳み型携帯電話のような端末機器に採用されるストラップ取り付け部の構造に関する。
【背景技術】
【０００２】
携帯電話のような端末機器（携帯機器）には、本体を吊り下げて保持するためのストラップが取り付けられる。ストラップには機能とデザイン性を兼ねた様々な器具を付加することもある。このストラップは、筐体本体に一体成形された貫通孔により取り付けてもよいが、小型化、薄型化、樹脂成形上の点で問題がある。そこで、貫通孔を有するストラップホルダ（単に「ホルダ」ともいう）を別途部品として用意し、筐体本体に取り付けることが行われている。筐体本体が略矩形状の場合、ストラップホルダを角部に取り付けることは、引っかかりが少なく本体が取り出し易く、小型化、薄型化、外観の観点から好ましい。
【０００３】
下記特許文献１には、携帯機器において、ストラップホルダを筐体本体の角部に取り付けた例が開示されている。
【０００４】
図７は、特許文献１に示されたストラップホルダを取り付けた携帯機器を示す図である。
【０００５】
図７において、上ケース１０１と下ケース１０２は、プリント基板１０３を挟んで組み立てられる。ストラップホルダ１０６は、穴１０８ａを有する突起部１０８と嵌合穴１０７ａを有する嵌合部１０７からなる。上ケース１０１と下ケース１０２からなる略矩形状の本体隅部の開口部１０９において、ネジ１０９は、下ケース１０２の突起部１０４の貫通穴１０４ａから挿入され、ストラップホルダ１０６の嵌合穴１０７ａを介して、上ケース１０１の突起部１０５のネジ穴に螺合される。これにより、ストラップホルダ１０５は、一体的に固定される。
【０００６】
一方、携帯機器は、操作キーが配列される筐体と、液晶のような表示画面が設けられる筐体を、ヒンジを介して回動自在に組み立てる型が広く普及している。このような２つ折りの折り畳み型携帯機器は、最近、薄型になっており、ストラップを取り付ける部分も場所が限られている。２つ折りの折り畳み型携帯機器において、ストラップホルダを角部に取り付けようとすると、その形状から筐体の比較的厚みのあるヒンジ筒の部分に取り付けるのが、構造上都合がよい。
【０００７】
そこで、本出願人は、先願に係る特願２００５−２４４８２７号において、ストラップ取り付け部のヒンジ部に対して、ピンを貫通させて固定したものを提案している。
【０００８】
図８は、上記先願に係るストラップ取り付け部の一例を示す図である。
【０００９】
（ａ）は、ストラップホルダの構成部品を示す分解斜視図、（ｂ）は、固定部付近の上面図、（ｃ）は、（ｂ）のＣ−Ｃ断面図である。
【００１０】
図８において、２つ折りの折り畳み型携帯機器は、第１の筐体（以下単に「筐体」という）１、第２の筐体（不図示）、カバー３を有し、ストラップ取り付け部は、２つの筐体のヒンジ円筒部にある。筐体（ケース）１のヒンジ円筒部側面に設けた凹部１１に、ストラップホルダ４が納められる。筐体１に設けたピン通路１８、ホルダ４に設けた第１ピン孔４４、及び筐体１に設けたピン凹部１９に、ホルダ４の抜け止めとなる直線状のピン５が差し込まれる。ピン５は、ピン通路１８により係止される。ピン５の外れ止めも兼ねるカバー３は、筐体１に対してネジ６により締結される。ホルダ４を、ピン５を用いて筐体１から外れないように固定する構成としている。
このストラップホルダは、小型化しても十分な強度が得られ、意匠性が優れ、また、ピンにより固定されるため組み立ても容易である。
【特許文献１】特開平５−１９１０５７号公報
【発明の開示】
【発明が解決しようとする課題】
【００１１】
しかしながら、従来の特許文献１に示されたストラップホルダを取り付けた携帯機器は、折り畳み型携帯機器ではなく、ストラップホルダを角部のヒンジ筒の部分に取り付けることを実現したものではない。
【００１２】
上記先願例の場合は、ピン５が抜けないよう強固に保持するため筐体１のピン通路１８とピン凹部１９が設けられた保持部を厚くする必要があり、機器の厚みが厚くなってしまうという問題があった。また、薄型にしようとした場合はピン５の筐体１への保持強度を確保するためにピン５を筐体１に接着または圧入する必要が生じ、製造コストがかかり専用の設備も必要になるという問題があった。また、接着や圧入をしてしまうと修理などの際に分解できず筐体を壊して分解しなければならず、部品の再使用ができなくなるという問題もあった。
【００１３】
そこで、本発明の目的は、折り畳み型携帯機器の限られた空間において、ストラップホルダをコンパクトで強固に固定し、かつ組み立てや分解がし易く製造、修理コストがかからないストラップ取り付け部の構造を実現することにある。
【課題を解決するための手段】
【００１４】
上述の課題を解決するため、本発明は、折り畳み型携帯機器におけるストラップ取り付け部の構造であって、ストラップホルダが筐体のヒンジ円筒部側面の凹部に収納され、Ｌ字形状のピンが、前記筐体に設けた開口部、及び前記ストラップホルダに貫通するピン孔に挿通されて、前記筐体に設けた受け溝で受け止められており、前記筐体に締結されるカバーにより前記ピンの両端を押さえて、前記ストラップホルダを固定したことを特徴とする。
【００１５】
また、他の本発明は、折り畳み型携帯機器におけるストラップ取り付け部の構造であって、ストラップホルダが筐体のヒンジ円筒部側面の凹部に収納され、Ｌ字形状のピンが、前記筐体に設けた開口部、前記ストラップホルダに貫通するピン孔、及び前記筐体に設けた貫通孔に挿通されており、前記筐体に締結されるカバーにより前記ピンの両端を押さえて、前記ストラップホルダを固定したことを特徴とする。
【００１６】
［作用］
Ｌ字形状のピンを筐体側から差し込みストラップホルダに貫通させ、ピンはカバーの締結により押さえられ、回り止めと抜け止めが行われる。
【発明の効果】
【００１７】
本発明により、ストラップホルダと筐体に対して差し込まれたＬ字形状のピンが両端でカバーにより押さえられ、広い面でピンの回り止めと抜け止めが行われる。それにより、ストラップホルダは、確実に固定され、コンパクトかつ強固なストラップ取り付け部の構造を実現できる。
【００１８】
また、ピンがＬ字形状で持ち易く接着や圧入による固定も行わないため、組み立てが容易で製造コストや設備費も抑えられる。
【００１９】
更に、接着や圧入による固定を行わないため、ストラップ取り付け部が破損等した場合はピンを外すことでホルダのみを容易に交換することができ、筐体を再使用できる。
【発明を実施するための最良の形態】
【００２０】
次に、本発明の実施の形態について図面を参照して説明する。
【００２１】
［実施形態１］
図１は、本発明の実施形態１の携帯機器を示す斜視図である。
【００２２】
２つ折りの折り畳み型携帯機器は、第１の筐体１（以下単に「筐体」という）、第２の筐体２、カバー３を有し、２つの筐体のヒンジ部にはホルダ４が取り付けられる。これらは、上記先願例の構成と共通している。
【００２３】
図２は、本実施形態のストラップ取り付け部の構成部品を示す分解斜視図である。
【００２４】
図２において、筐体１のヒンジ円筒部側面に設けた凹部１１に、ホルダ４が納められる。ホルダ４は、凹部１１に対してヒンジ軸回りに回転不能でガタツキが生ずるような隙間がない形状となっている。
【００２５】
ホルダ４には、ストラップを通すための係止部４１が形成され、貫通するピン孔４２が略平板状の筐体１の面に対して傾斜して設けられる。筐体１には凹部１１内の対向する位置に開口部１２と受け溝１３が設けられる。開口部１２に連接して横溝１４が形成される。開口部１２、ピン孔４２、受け溝１３にホルダ４の抜け止めとなるＬ字形状のピン５が斜めに差し込まれる。カバー３は、筐体１に設けた横溝１４に嵌合したピン５の外れ止めも兼ねる。筐体１とカバー３は、ネジ６により締結される。
【００２６】
図３は、本実施形態のストラップ取り付け部の組み立て後の状態を示す詳細図である。
【００２７】
図３において（ａ）は上面図、（ｂ）は側面図、（ｃ）は（ａ）のＡ−Ａ断面図、（ｄ）はカバー３を外した状態の上面図である。
【００２８】
（組み立て方法）
次に、実施形態１の携帯機器における組み立て方法の各工程について図面を参照して説明する。
【００２９】
図２において、まず、筐体１の凹部１１にホルダ４を嵌め込む。次にピン５の先端５１を筐体１に設けた開口部１２から斜めに挿入し、ホルダ４のピン孔４２を通し、先端５１が筐体１の受け溝１３に突き当たるまで差し込む。
【００３０】
図４は、ピン５を差し込んだ状態から後の工程を示す斜視図である。
【００３１】
図４において、（ａ）はピン５を差し込んだ状態を示す図、（ｂ）はピン５を回転した状態を示す図である。
【００３２】
図４（ａ）において、ピン５を差し込んだ状態からピン５の後端５２を図に示す矢印の方向に回転させ筐体１の横溝１４の部分に納める。次に、図４（ｂ）において、筐体１にカバー３の爪３２を嵌合しネジ５で筐体１とカバー３を締結する。図３（ｃ）は、このときの状態を示しており、ピン５の後端５２は、筐体１の横溝１４内でカバー３の内面により押さえられ、先端５１は、カバー３のリブ３１で押さえられ、筐体１の受け溝１３の下面で狭持される。接着や圧入による固定も行わずに、ピン５は回転が阻止され、抜け防止が行われる。それにより、ホルダ４は確実に固定される。
【００３３】
［実施形態２］
本発明の実施形態２について説明する。
【００３４】
図５は、本実施形態のストラップ取り付け部の構成部品を示す分解斜視図である。
【００３５】
図６は、本実施形態のストラップ取り付け部の組み立て後の状態を示す詳細図である。
【００３６】
図６において、（ａ）は上面図、（ｂ）は（ａ）のＢ−Ｂ断面図である。
【００３７】
本実施形態は、貫通するピン孔４３が略平板状の筐体１の面に対して平行して設けられる。筐体１には凹部１１内の対向する位置に開口部１５と貫通孔１６が設けられる。開口部１５に連接して、横溝１７、切り欠き１８が形成される。開口部１５、ピン孔４３、貫通孔１６にホルダ４の抜け止めとなるＬ字形状のピン５が差し込まれる。このときピン５は、切り欠き１８の側から筐体１の面に対して平行して差し込まれ、先端５１が貫通孔１６を貫通した後、後端５２を回転し横溝１７に収納する。このとき、横溝１５内においてピン５の後端５２の上方に空間が生ずる。
【００３８】
筐体１とカバー３は、ネジ６により締結される。カバー３のリブ３３は、横溝１５内の上記空間に嵌合し、ピン５の後端５２を押さえてピン５の回り止めを行う。また、カバー３の湾曲部により、貫通孔１６から出たピン５の先端５１を押さえる。実施形態１と同様に、接着や圧入による固定も行わずに、ピン５は回転が阻止され、抜け防止が行われる。それにより、ホルダ４は確実に固定される。本実施形態は、より薄型のホルダを取り付ける場合に有効である。
【産業上の利用可能性】
【００３９】
本発明は、折り畳み型携帯電話など、ストラップ取り付け部を有する携帯機器だけでなく、ストラップ取り付け以外にも筐体に取り付けるフックやヒンジユニット、各種カバーキャップ類の取り付け部の固定などにも応用できる。
【図面の簡単な説明】
【００４０】
【図１】本発明の実施形態１の携帯機器を示す斜視図
【図２】実施形態１のストラップ取り付け部の構成部品を示す分解斜視図
【図３】実施形態１のストラップ取り付け部の組み立て後の状態を示す詳細図、（ａ）は上面図、（ｂ）は側面図、（ｃ）は（ａ）のＡ−Ａ断面図、（ｄ）はカバー３を外した状態の上面図
【図４】実施形態１のピン５を差し込んだ状態から後の工程を示す斜視図、（ａ）はピン５を差し込んだ状態を示す図、（ｂ）はピン５を回転した状態を示す図
【図５】実施形態２のストラップ取り付け部の構成部品を示す分解斜視図、
【図６】実施形態２のストラップ取り付け部の組み立て後の状態を示す詳細図、（ａ）は上面図、（ｂ）は（ａ）のＢ−Ｂ断面図
【図７】特許文献１に示されたストラップホルダを取り付けた携帯機器を示す図
【図８】先願に係るストラップ取り付け部の一例を示す図、（ａ）はストラップホルダの構成部品を示す分解斜視図、（ｂ）は固定部付近の上面図、（ｃ）は（ｂ）のＣ−Ｃ断面図
【符号の説明】
【００４１】
１…第１の筐体（筐体）
２…第２の筐体
３…カバー
４…ストラップホルダ
５…ピン
６…ネジ
１１…凹部
１２，１５…開口部
１３…受け溝
１４，１７…横溝
１６…貫通孔
１８…切り欠き
４１…係止部
４２，４３…ピン孔
３１，３３…リブ
３２…爪
【図１】
2008193583.tif 000003
【図２】
2008193583.tif 000004
【図３】
2008193583.tif 000005
【図４】
2008193583.tif 000006
【図５】
2008193583.tif 000007
【図６】
2008193583.tif 000008
【図７】
2008193583.tif 000009
【図８】
2008193583.tif 000010